(57)【要約】  【課題】資源の有効利用を図りつつ、利便性を向上させることができる綴じ具のパッドを提供する。  【解決手段】ファイルの綴じ具に装着して使用されるパッドに、前記綴じ具を保護し得る姿勢で当該綴じ具に取り付けるための第１の取り付け部と、前記綴じ具に綴じられた書類を厚み方向に弾性圧縮し得る姿勢で当該綴じ具に取り付けるための第２の取り付け部とを備えた構成を採用する。【選択図】図１１
2018122443.tif 000002
【特許請求の範囲】
【請求項１】
ファイルの綴じ具に装着して使用されるパッドであって、前記綴じ具を保護し得る姿勢で当該綴じ具に取り付けるための第１の取り付け部と、前記綴じ具に綴じられた書類を厚み方向に弾性圧縮し得る姿勢で当該綴じ具に取り付けるための第２の取り付け部とを備えた綴じ具のパッド。
【請求項２】
前記綴じ具が、対をなす綴じ板部間に書類を綴じるための軸部を架設したものであり、前記軸部が、前記一方の綴じ板部に設けられた綴じパイプに他方の綴じ板部に設けられた綴じ桿を嵌合させた閉じ姿勢と、前記綴じ桿を前記綴じパイプから抜き取った開き姿勢とを採り得るものである綴じ具に使用されるパッドであって、
前記第１の取り付け部が、閉じ姿勢の軸部に装脱可能な構成のものであり、前記第２の取り付け部が、開き姿勢の軸部に挿通させて装着可能で、かつ閉じ姿勢の軸部には挿脱不可能な構成のものである請求項１記載の綴じ具のパッド。
【請求項３】
板状をなす本体の両側縁に側壁部をそれぞれ備えてなり、
前記第１の取り付け部が、前記側壁部の先端縁部分に前記綴じ具の軸部に弾性係合する切欠溝を設けたものである請求項２記載の綴じ具のパッド。
【請求項４】
板状をなす本体の両側縁に側壁部をそれぞれ備えてなり、
前記第２の取り付け部が、一方の側壁部に設けられ前記軸部に弾性係合する切欠溝と、他方の側壁部に設けられた前記軸部を貫通させるための軸部挿通孔とを備えたものである請求項２又は３記載の綴じ具のパッド。
【請求項５】
前記本体に、前記軸部が嵌り込むスロットを設けた請求項３又は４記載の綴じ具のパッド。
【請求項６】
前記スロットの延伸方向中間位置に、前記軸部と係合して前記本体を湾曲した形状に保持するための係合部が設けられている請求項５記載の綴じ具のパッド。
【請求項７】
前記本体と両側壁とが、弾性薄板材料による一体品である請求項３、４、５又は６記載の綴じ具のパッド。
【発明の詳細な説明】
【技術分野】
【０００１】
本発明は、パイプ式ファイルを始め、種々のファイルの綴じ具に装着して使用されるパッドに関する。
【背景技術】
【０００２】
従来、この種のファイルとして、背表紙の内面に綴じ具を装着したものが知られている（例えば、非特許文献１を参照）。
【０００３】
ところで、このようなファイルは、複数個重ね合わせて出荷され流通することが少なくない。この場合、特定のファイルの綴じ具が当該ファイルの内側に重ね合わされた他のファイルの背表紙に当接すると、背表紙等が損傷することがある。そのため、従来は、各綴じ具にパッドと称される保護具を一時的に装着して損傷を防止するようにしている。従来のパッドは、例えば平板状の本体の両側縁に側壁部を備えた断面コ字形のもので、それら両側壁部の先端縁に形成された切欠溝を綴じ部の軸部に弾性係合させて他のファイルの背表紙がその綴じ具に直接衝突しないようになっている。かかるパッドは、厚紙等により作られており、ファイル使用時には、何の役にも立たないため、取り外されて廃棄される。
【０００４】
しかるに、このような従来の構成においては、ファイルの初回使用の前にパッドが廃棄されることとなり、資源の有効利用に反するものとなっている。
【０００５】
上述した例では、パイプ式ファイルについて説明しているが、例えばリング式ファイル等、他の形式のファイルにおいても事情は同じである。
【先行技術文献】
【非特許文献】
【０００６】
【非特許文献１】コクヨ総合カタログ２０１７年版ステーショナリー編，コクヨ株式会社，平成２８年１２月，ｐ．１０１
【発明の概要】
【発明が解決しようとする課題】
【０００７】
本発明は、資源の有効利用を図りつつ、利便性を向上させることができる綴じ具のパッドを提供することを目的とする。
【課題を解決するための手段】
【０００８】
請求項１の発明に係る綴じ具のパッドは、ファイルの綴じ具に装着して使用されるパッドであって、前記綴じ具を保護し得る姿勢で当該綴じ具に取り付けるための第１の取り付け部と、前記綴じ具に綴じられた書類を厚み方向に弾性圧縮し得る姿勢で当該綴じ具に取り付けるための第２の取り付け部とを備えたものである。
【０００９】
請求項２の発明に係る綴じ具のパッドは、請求項１記載の構成において、前記綴じ具が、対をなす綴じ板部間に書類を綴じるための軸部を架設したものであり、前記軸部が、前記一方の綴じ板部に設けられた綴じパイプに他方の綴じ板部に設けられた綴じ桿を嵌合させた閉じ姿勢と、前記綴じ桿を前記綴じパイプから抜き取った開き姿勢とを採り得るものである綴じ具に使用されるパッドであって、前記第１の取り付け部が、閉じ姿勢の軸部に装脱可能な構成のものであり、前記第２の取り付け部が、開き姿勢の軸部に挿通させて装着可能で、かつ閉じ姿勢の軸部には挿脱不可能な構成のものである。
【００１０】
請求項３の発明に係る綴じ具のパッドは、請求項２記載の構成において、板状をなす本体の両側縁に側壁部をそれぞれ備えてなり、前記第１の取り付け部が、前記側壁部の先端縁部分に前記綴じ具の軸部に弾性係合する切欠溝を設けたものである。
【００１１】
請求項４の発明に係る綴じ具のパッドは、請求項２又は３記載の構成において、板状をなす本体の両側縁に側壁部をそれぞれ備えてなり、前記第２の取り付け部が、一方の側壁部に設けられ前記軸部に弾性係合する切欠溝と、他方の側壁部に設けられた前記軸部を貫通させるための軸部挿通孔とを備えたものである。
【００１２】
請求項５の発明に係る綴じ具のパッドは、請求項３又は４記載の構成において、前記本体に、前記軸部が嵌り込むスロットを設けたものである。
【００１３】
請求項６の発明に係る綴じ具のパッドは、請求項５記載の構成において、前記スロットの延伸方向中間位置に、前記軸部と係合して前記本体を湾曲した形状に保持するための係合部が設けられている請求項５記載の綴じ具のパッド。
【００１４】
請求項７の発明に係る綴じ具のパッドは、請求項３、４、５又は６記載の構成において、前記本体と両側壁とが、弾性薄板材料による一体品である。
【発明の効果】
【００１５】
本発明によれば、資源の有効利用を図りつつ、利便性を向上させることができる綴じ具のパッドを提供することができる。
【図面の簡単な説明】
【００１６】
【図１】本発明の一実施形態に係るファイルを示す全体斜視図。
【図２】同実施形態の要部を示す拡大斜視図。
【図３】同実施形態の要部を示す拡大斜視図。
【図４】同実施形態のパッドの正面図。
【図５】同パッドの平面図。
【図６】同パッドの左側面図。
【図７】同パッドの右側面図。
【図８】同パッドの展開図。
【図９】同実施形態のパッドの作用説明図。
【図１０】同実施形態の要部を示す拡大斜視図。
【図１１】同実施形態の要部を示す拡大斜視図。
【図１２】同実施形態のパッドの作用説明図。
【図１３】同実施形態のパッドの作用説明図。
【発明を実施するための形態】
【００１７】
本発明の一実施形態を、図１〜図１３を参照しつつ以下に述べる。
【００１８】
この実施形態は、パイプ式のファイル１に本発明に係るパッド４を装着したものである。
【００１９】
前記ファイル１は、図１〜図３及び図９〜図１３に示すように、対をなす表紙２ａの基端縁間に背表紙２ｂを設けたファイル本体２と、このファイル本体２の背表紙２ｂに装着された綴じ具３とを具備してなる。
【００２０】
前記綴じ具３は、図２に示すように、背表紙２ｂの内面に止着されたベース３１と、このベース３１の両側縁にそれぞれ回動可能かつ着脱可能に支持された対をなす綴じ板部３２、３３と、これら綴じ板部３２、３３間に架設された書類Ｄを綴じるための軸部３４とを備えたもので、前記軸部３４は、前記一方の綴じ板部３２に設けられた綴じパイプ３４ａと、他方の綴じ板部３３に設けられた綴じ桿３４ｂとを具備してなる。そして、この綴じ具３は、前記綴じ桿３４ｂと前記綴じパイプ３４ａとを嵌合させた閉じ姿勢（Ｃ）と、前記綴じ桿３４ｂを前記綴じパイプ３４ａから抜き取った開き姿勢（Ｏ）とを採り得るものである。すなわち、この綴じ具３は、ベース３１の一側縁に設けられた操作ボタン３５を操作することにより、一方の綴じ板部３２をベース３１から取り外すことができ、また、他側縁に設けられた図示しない操作ボタンを操作することにより、他方の綴じ板部３３をベース３１から取り外すことができるようにしたもので、両綴じ板部３２、３３を前記ベース３１に取り付けた状態で前記閉じ姿勢（Ｃ）となり、少なくとも一方の綴じ板部３２、３３を前記ベース３１から取り外すことにより前記開き姿勢（Ｏ）となるように構成されている。この綴じ具３は、通常の構成を備えたものであるため、これ以上の説明は省略する。
【００２１】
前記パッド４は、図１、図３及び図９〜図１３に示すように、前記綴じ具３に装着して使用されるもので、前記綴じ具３を保護し得る姿勢（以下、「綴じ具保護姿勢（Ｐ）」と称する）で当該綴じ具３に取り付けるための第１の取り付け部５と、前記綴じ具３に綴じられた書類Ｄを厚み方向に弾性圧縮し得る姿勢（以下、「書類押圧姿勢（Ｑ）」と称する）で当該綴じ具３に取り付けるための第２の取り付け部６とを備えている。前記第１の取り付け部５は、閉じ姿勢（Ｃ）の軸部３４に装脱可能な構成のものである。一方、前記第２の取り付け部６は、開き姿勢（Ｏ）の軸部３４に挿通させて装着可能で、かつ閉じ姿勢（Ｃ）の軸部３４には挿脱不可能な構成のものである。
【００２２】
なお、図１は、このパッド４を前記綴じ具保護姿勢（Ｐ）で綴じ具３に装着した状態を示す全体斜視図である。図２は、前記パッド４を綴じ具３に装着する前の状態を示す斜視図である。図３は、前記パッド４を前記綴じ具３に装着した後の状態を示す斜視図である。図４は、前記パッド４の正面図である。図５は、前記パッド４の平面図である。図６は、前記パッド４の左側面図である。図７は、前記パッド４の右側面図である。図８は、前記パッド４の展開図である。図９は、前記パッド４を綴じ具３に装着したファイル１を複数個重ね合わせた状態を示すファイル１の正面図である。図１０は、前記パッド４を前記書類押圧姿勢（Ｑ）で綴じ具３に装着した状態を示す斜視図である。図１１は、前記パッド４を前記第２の取り付け姿勢で取り付ける方法を説明するための斜視図である。図１２は、前記パッド４を第２の取り付け姿勢で取り付けた状態を示すファイル１の正面図である。図１３は、前記パッド４を第２の取り付け姿勢で取り付けているとともにそのパッド４で綴じ具３に閉じられた書類Ｄを押圧している状態を示すファイル１の正面図である。
【００２３】
さらに詳述すると、前記パッド４は、弾性薄板材料による一体品で、図１〜図４及び図９〜図１３に示すように、板状をなす本体７の両側縁７ａに側壁部８、９をそれぞれ備えてなる。
【００２４】
前記第１の取り付け部５は、図２、図６、図７、図１０及び図１１に示すように、両側壁部８、９の先端縁部分８ａ、９ａに、前記綴じ具３の軸部３４に弾性係合する切欠溝８１、９１を設けたものである。前記切欠溝８１、９１は、前記綴じ具３の軸部３４の本数に対応させた個数、本実施形態では各側壁部８、９に２個ずつ設けられている。各切欠溝８１、９１は、前記軸部３４に外嵌する部分円形孔８１ａ、９１ａと、この部分円形孔８１ａ、９１ａに連続するくびれ部分８１ｂ、９１ｂと、このくびれ部分８１ｂ、９１ｂから側壁部８、９の先端縁に向かって漸次拡開する拡開溝部分８１ｃ、９１ｃとを備えたもので、前記くびれ部分８１ｂ、９１ｂの開口幅は前記軸部３４の直径よりも小さく設定されている。また、これら切欠溝８１、９１の深さ寸法は、前記部分円形孔８１ａ、９１ａを前記綴じ具３の軸部３４に外嵌させた装着完了状態において、このパッド４の本体７が前記綴じ具３の綴じ板部３２、３３の上縁よりも高い位置すなわちベース３１からより離れた位置に配されるような値に設定されている。
【００２５】
前記第２の取り付け部６は、図６、図１０及び図１１に示すように、一方の側壁部８に設けられ前記軸部３４に弾性係合する前記切欠溝８１と、他方の側壁部９に設けられた前記軸部３４を貫通させるための軸部挿通孔９２とを備えたものである。前記軸部挿通孔９２は、図６、図８及び図１１に示すように、他方の側壁部８、９における前記切欠溝８１、９１の部分円形孔８１ａ、９１ａよりも前記本体７寄りの部位に設けられたもので、前記軸部３４の綴じ桿３４ｂを挿通させることができる円形状をなしている。
【００２６】
このパッド４の本体７は、図１〜図３、図５、図１０及び図１１に示すように、前記綴じ具３の軸部３４が嵌り込むスロット７ｓが設けられている。前記スロット７ｓは、前記軸部３４の綴じパイプ３４ａの外径よりも若干大きな幅寸法を有する長孔状のもので、前記軸部３４に平行に延伸させてある。このスロット７ｓの延伸方向中間位置には、前記軸部３４と係合して前記本体７を湾曲した形状に保持するための係合部７ｓ１が設けられている。この係合部７ｓ１は、スロット７ｓの一方の内側縁を他方の内側縁に接近させるように膨出させたもので、この係合部７ｓ１の膨出端と他方の内側縁との間の距離は、前記軸部３４の外径よりも小さく設定されている。
【００２７】
以上説明したパッド４は、弾性薄板材料製のシート素材Ｓを図８に示すように打ち抜き加工した上で、前記本体７の両側縁７ａとなるべき折線部を境にして前記両側壁部８、９となるべき部位をほぼ直角に折り曲げることにより作られている。
【００２８】
次いで、このパッド４の使用方法について説明する。
【００２９】
第１の取り付け部５を用いてこのパッド４を綴じ具３に取り付けた場合には、従来のパッドと同様な機能を発揮する。すなわち、両側壁部８，９に設けられた切欠溝８１、９１に、閉じ姿勢（Ｃ）にある綴じ具３の軸部３４を係り合わせた状態で、このパッド４をベース３１方向に押し付けると、前記軸部３４が、切欠溝８１、９１のくびれ部分８１ｂ、９１ｂを部材の弾性変形を利用しつつ通過して部分円形孔８１ａ、９１ａに嵌合することになり、当該パッド４が綴じ具保護姿勢（Ｐ）で前記綴じ具３を保護し得る位置に取り付けられる。そのため、図９に示すように、複数のファイル１を重ね合わせても、背表紙２ｂの損傷等を抑制または防止することができる。このパッド４の各部寸法を従来の紙製のパッドと同様な値に設定しておけば、従来紙製のパッドを装着する際に用いられていた自動装着装置をそのまま使用することができる。なお、図９においては、上方に位置する側のファイル１を想像線で示しているとともに、該ファイルの各部の符号の末尾に（２）と付して下方に位置する側のファイル１と区別している。
【００３０】
ファイル１を使用する際には、第２の取り付け部６を用いてこのパッド４を綴じ具３に取り付ければ、このパッド４を紙押さえとして機能させることができる。すなわち、図１１に示すように、前記パッド４を一旦綴じ具３から取り外すとともに、綴じ具３の他方の綴じ板部３３をベース３１から取り外し、前記軸部３４の綴じ桿３４ｂを前記綴じパイプ３４ａから抜き取ってこの綴じ具３を開き姿勢（Ｏ）とする。この状態から、前記綴じ板部３３に設けられた綴じ桿３４ｂを前記パッド４の前記他方の側壁部９の軸部挿通孔９２に挿通させ、しかる後に前記綴じ桿３４ｂを前記綴じパイプ３４ａに挿入し、前記他方の綴じ板部３３を再びベース３１に取り付けることにより、この綴じ具３を閉じ姿勢（Ｃ）とする。そして、前記パッドの前記一方の側壁部８の切欠溝８１を前記綴じ具３の軸部３４の綴じパイプ３４ａに係り合わせるとともに、前記本体７の中央部をベース３１方向に押圧して湾曲させることによりスロット７ｓの係合部７ｓ１を前記軸部３４の下方すなわちベース３１側に係り合わせる。その結果、図１０に示すように、前記パッド４が前記綴じ具３に書類押圧姿勢（Ｑ）で取り付けられた状態となる。
【００３１】
図１２は、書類を綴じていない状態でパッド４が書類押圧姿勢（Ｑ）で取り付けられた状態を示しており、図１３は、複数枚の書類Ｄを綴じ具３の軸部３４に綴じた状態を示している。図１３に示す姿勢においては、パッド４の本体７が大きく湾曲して弾性反発力を蓄積した状態となっており、このパッド４の前記一方の側壁部８が書類Ｄを前記綴じ具３の一方の綴じ板部３２に弾性的に押し付けている。書類Ｄの量が変化しても、このパッド４の本体７が適宜弾性変形することになり、その書類Ｄを常に前記側壁部８で前記綴じ具３の一方の綴じ板部３２に弾性的に押し付けるようになっている。
【００３２】
このような構成のパッド４であれば、従来のパッドとしての保護機能を備えているだけでなく、その保護機能が役割を終了した後も、書類押さえとして継続的に使用することができる。そのため、資源の有効利用を図ることができる。また、このパッド４は、綴じ具３の軸部３４に取り付けるようにしているので、綴じ具３自体の構造を変更する必要が全くなく、種々の形式の綴じ具３に汎用的に装着して用いることができる。さらに、このパッド４は、綴じ具３の軸部３４に係わり合わせて当該綴じ具３の両綴じ板部３２、３３間に取り付けられるものであるため、ファイル１の表紙２ａの開閉に係わらず前述した保護機能及び紙押さえとしての機能を発揮するものである。
【００３３】
上述した構成のパッド４は、綴じ具保護姿勢（Ｐ）で前記綴じ具３に取り付けるための前記第１の取り付け部５が、両側壁部８、９の先端縁部分８ａ、９ａに綴じ具３の軸部３４に弾性係合する切欠溝８１、９１を設けたものであるので、このようなパッド４を綴じ具３に綴じ具保護姿勢（Ｐ）で容易にかつ安定して取り付けることができる。加えて、このような構成であれば、従来のこの種のパッドと同一の構成によりこの第１の取り付け部５を形成できる。
【００３４】
一方、前記パッド４は、板状をなす本体７の両側縁に側壁部８、９をそれぞれ備えてなり、このパッドを書類押圧姿勢（Ｑ）で前記綴じ具３に取り付けるための第２の取り付け部６が、一方の側壁部８に設けられ前記綴じ具３の軸部３４に弾性係合する切欠溝８１と、他方の側壁部９に設けられた前記軸部３４を貫通させるための軸部挿通孔９２とを備えたものであるので、このようなパッド４を綴じ具３に綴じ具保護姿勢（Ｐ）で容易にかつ安定して取り付けることもできる。加えて、このような構成であれば、従来のこの種のパッドに軸部挿通孔９２を加えるだけの最低限の設計変更によりこの第２の取り付け部６を形成できる。
【００３５】
さらに、前記パッド４の本体７に綴じ具３の軸部３４が嵌り込むスロット７ｓを設けているとともに、前記スロット７ｓの延伸方向中間位置に、前記軸部３４と係合して前記本体７を湾曲した形状に保持するための係合部７ｓ１が設けられているので、上述したように、綴じ具３の軸部３４がスロット７ｓを通過するようにし、このスロット７ｓの係合部７ｓ１を前記軸部３４の下方すなわちベース３１側に係り合わせることによってこのパッド４を綴じ具３に書類押圧姿勢（Ｑ）で取り付けることができる。すなわち、このパッド４を綴じ具３に書類押圧姿勢（Ｑ）で取り付けておくための構成を単純な構成により実現できる。
【００３６】
そして、前記本体７と両側壁８、９とが、弾性薄板材料による一体品であるので、このパッド４の全体を一体的に取り扱うことができる。
【００３７】
また、本実施形態のパッド４は、見方によれば、紙押さえとしても認識することができる。すなわち、この紙押さえは、軸部３４を有するファイル１の綴じ具３に装着して使用され、弾性薄板材料により形成される紙押さえであって、一端側に設けられ綴じ具３の軸部３４に挿通させて装着可能な装着部である前記他方の側壁部９と、他端側に設けられ書類Ｄを押さえ得る書類押さえ部である前記一方の側壁部８と、これら装着部及び書類押さえ部の間に設けられた弾性変形部である前記本体７とを備え、前記他方の側壁部９が綴じ具３に、前記一方の側壁部８が書類Ｄにそれぞれ当接して移動を規制された状態での前記本体７の弾性変形により生じる復元力により書類Ｄを押さえ得るようにしている紙押さえであると表現することもできる。
【００３８】
この紙押さえは、以下に述べるような点で、すでに知られている紙押さえ｛例えば、実公昭５７−３８１８号公報（公知例１）や特開２００９−９９１号公報（公知例２）｝とは異なっている。
【００３９】
公知例１には、断面L字状の弾性板材の一端部を綴じ具の可動側壁に直接取り付け、他端部で書類を押し付ける構成の紙押さえが開示されている。しかし、このものは、綴じ具の側に装着部を設定しておく必要性があるため汎用性に乏しい。
【００４０】
公知例２には、樹脂の弾性薄板材料で断面視ループ形状を形成し、表紙を閉じたときに書類の撓みを防止する構成の紙押さえが開示されている。しかし、このものは、表紙を開いた時点で紙押さえの用をなさなくなる。
【００４１】
これに対して、本実施形態の紙押さえは、綴じ具使用前にパッドとして機能するという大きな違いがあるだけでなく、前述した公知例１、２の欠点を解消することができるものである。
【００４２】
すなわち、本実施形態の紙押さえは、装着部を綴じ具の可動側壁に直接取り付けるのではなく、綴じ具の軸部に挿通させて装着可能なものとしているので、書類を綴じるための軸部を有する種々の綴じ具に汎用的に取り付けることができる。そのため、公知例１の欠点すなわち綴じ具の側に装着部を設定しておく必要性があるため汎用性に乏しいという欠点を解消することができる。
【００４３】
また、本実施形態の紙押さえは、表紙を開いた状態であっても、一端側に設けられ前記軸部に取り付けた装着部が綴じ具に、他端側に設けられた前記書類押さえ部が書類にそれぞれ当接して移動を規制された状態で、前記弾性変形部の弾性変形により生じる復元力により、書類を押さえ得る。そのため、公知例２の欠点すなわち表紙を開いた時点で紙押さえの用をなさなくなるという欠点を解消することができる。
【００４４】
なお、本発明は以上に述べた実施形態に限られない。
【００４５】
例えば、綴じ具は、書類を綴じるための軸部を有するものであればよく、パイプ式に限らず、リング式等、種々のものが含まれる。
【００４６】
また、前記実施形態では、平板状の本体を綴じ部のベース方向に湾曲させて書類を押さえるための弾性反発力を発揮させるようにしているが、例えば、平板状の本体をベースから離れる方向に湾曲させるようにしてもよい。
【００４７】
さらに、前記実施形態では、綴じ具を保護し得る姿勢で当該綴じ具に取り付けるための第１の取り付け部が、側壁部の先端縁部分に綴じ具の軸部に弾性係合する切欠溝を設けたものであるが、同一構成をなす複数のファイルを重ね合わせたときに綴じ具と背表紙とが当接し背表紙の損傷等を抑制または防止することができる構成のものであれば、例えば、切欠溝のくびれ部を省略してもよく、その他種々変形してよい。
【００４８】
一方、前記実施形態では、綴じ具に綴じられた書類を厚み方向に弾性圧縮し得る姿勢で当該綴じ具に取り付けるための第２の取り付け部が、一方の側壁部に設けられ前記軸部に弾性係合する切欠溝と、他方の側壁部に設けられた前記軸部を貫通させるための軸部挿通孔とを備えたものであるが、綴じ具に綴じられた書類を厚み方向に弾性圧縮し得る姿勢で当該綴じ具に取り付けられる構成のものであれば、例えば、一方の側壁部に設けられ前記軸部に係合する切欠溝と、他方の側壁部に設けられその両側の部位が弾性変形することにより前記軸部を貫通させることができるスリット又は切込みとを備える構成のもの等、他の構成を採用してもよい。さらに、第１の取り付け部が第２の取り付け部を兼ねるような構成のものであってもよい。
【００４９】
加えて、前記実施形態では、パッドの本体に綴じ具の軸部が嵌り込むスロットを設けているとともに、前記スロットの延伸方向中間位置に、前記軸部と係合して前記本体を湾曲した形状に保持するための係合部が設けられているが、例えば、パッドの本体の外縁に前記係合部を設けるようにする等、他の構成を採用してもよい。
【００５０】
そして、パッドの本体と両側壁とを弾性薄板材料による一体品とする前記実施形態のような構成に代えて、板状の本体の両側縁に、同じく板状の側壁をそれぞれ接着する態様等を採用してもかまわない。
【００５１】
また、パッドとして使用する際に他のファイルの背表紙を保護する効果をさらに高めるべく、パッドの本体の上面（綴じ具のベースと反対側の面）に、上方に膨出する円形の保護突起を複数個設けるようにしてもよい。前記保護突起の配置は、例えば、パッドの本体の長手方向両端部及び中央部にそれぞれ対をなして設ける態様等が考えられる。
【００５２】
その他、本発明の趣旨を逸脱しない範囲で種々変形してもよい。
【符号の説明】
【００５３】
１…パッド
３…綴じ具
４…パッド
５…第１の取り付け部
６…第２の取り付け部
（Ｐ）…綴じ具を保護し得る姿勢（綴じ具保護姿勢）
（Ｑ）…書類を厚み方向に弾性圧縮し得る姿勢（書類押圧姿勢）
Ｄ…書類
【図１】
2018122443.tif 000003
【図２】
2018122443.tif 000004
【図３】
2018122443.tif 000005
【図４】
2018122443.tif 000006
【図５】
2018122443.tif 000007
【図６】
2018122443.tif 000008
【図７】
2018122443.tif 000009
【図８】
2018122443.tif 000010
【図９】
2018122443.tif 000011
【図１０】
2018122443.tif 000012
【図１１】
2018122443.tif 000013
【図１２】
2018122443.tif 000014
【図１３】
2018122443.tif 000015